(57)【要約】【課題】  画像表示装置付き電子カメラにおいて、画像の詳細表示と、画像に付帯した情報の表示を同時に行うことを目的としている。【解決手段】  本発明による電子スチルカメラの画像表示装置は、画像表示装置の近傍に、画像の撮影を行う条件を表示するための撮影情報表示装置を配置し、画像表示装置に画像を表示している場合は撮影情報表示装置を画像に付帯するデータを表示するモードとし、また、画像を撮影する場合は、撮影情報を表示するモードとする。【選択図】  図４
2007329740.tif 000002
【特許請求の範囲】
【請求項１】
画像データを生成する撮像手段と、撮像を行う条件を表示する情報表示手段と、撮像画像を表示する画像表示手段とを有し、前記情報表示手段は、撮像を行う条件を表示する第一のモードと、前記画像表示手段に表示した画像に付帯する情報を表示する第二のモードを有することをことを特徴とする撮像装置。
【請求項２】
前記情報表示手段は、前記画像表示手段に画像が表示されていない場合に前記第一のモードとなり、前記画像表示手段に画像が表示されている場合に前記第二のモードとなることを特徴とする請求項１記載の撮像装置。
【請求項３】
前記第二のモードでは、前記画像表示手段に表示した画像に付帯するデータがない場合は、前記情報表示手段には何も表示しないことを特徴とする請求項１記載の撮像装置。
【請求項４】
前記情報表示手段に、前記第一のモードと前記第二のモードを区別する表示を行うことを特徴とする請求項１記載の撮像装置。
【発明の詳細な説明】
【技術分野】
【０００１】
本発明は、撮影した画像と画像に付帯する情報を記録媒体から読み出し、画像と付帯情報を同時に表示する機能を有する電子スチルカメラにおいて、画像と付帯する情報を同時に表示する方法に関するものである。
【背景技術】
【０００２】
撮影した画像を記録媒体に保存し、かつ記録媒体に保存された画像を表示することが可能な電子スチルカメラにおいて、画像の表示と同時に、例えばシャッター速度や絞り値といった、画像に付帯する情報を表示することが従来から行われている。
【０００３】
画像と付帯する情報を同時に表示する方法としては、次のようなものがあった。
【０００４】
（１）図１に示すように、画像表示装置１−１にできるだけ大きく画像１−２を表示し、たとえばシャッター速度と絞り値の情報１−３、露出補正情報１−４、撮影画像のホワイトバランス作成方式情報１−５などを画像に重ねて表示する方法。
【０００５】
（２）図１に示すように、画像表示装置２−１の一部に画像２−２を表示し、たとえばシャッター速度と絞り値の情報２−３、露出補正情報２−４、撮影画像のホワイトバランス作成方式情報２−５をそれ以外の部分に表示する方法。
【０００６】
従来例としては、例えば特許文献１と特許文献２をあげることが出来る。
【特許文献１】特開平１０−２００８３９号公報
【特許文献２】特開２０００−１６５７０７号公報
【発明の開示】
【発明が解決しようとする課題】
【０００７】
しかし、上述した従来の表示方法では次のような問題がある。
【０００８】
（１）の方法では、撮影情報が画像に重なって表示されるため、見えない画像部分があり、画像全体を見ることができない。
【０００９】
（２）の方法では、情報と画像が重ならないため、画像全体を見ることができるが、画像が小さく、詳細な部分を把握しにくい。
【００１０】
本発明は、上記のような問題を解決するためになされたもので、画像表示装置付き電子カメラにおいて、画像の詳細表示と、画像に付帯した情報の表示を同時に行うことを目的としている。
【課題を解決するための手段】
【００１１】
前記目的を達成するために、本発明による電子カメラの画像表示装置は、その近傍に、画像の撮影を行う条件を表示するための撮影情報表示装置を配置し、画像表示装置に画像を表示している場合は撮影情報表示装置を画像に付帯するデータを表示するモードとし、また、画像を撮影する場合は、撮影情報を表示するモードとする構成になっている。
【発明の効果】
【００１２】
前記構成によれば、画像表示装置に撮影画像を大きく表示し、近傍の撮影情報表示装置に画像の付帯情報を表示することで、画像の詳細を隠すことなく、画像と画像付帯情報を同時に表示することを可能にする。
【発明を実施するための最良の形態】
【００１３】
（実施例１）
以下、図面に基づいて本発明の第１の実施例を説明する。
【００１４】
図２に本発明の実施の形態に係る電子カメラの回路構成を示すブロック図を示す。
【００１５】
図２において、１は撮像光学系、２はＣＣＤ等の撮像素子（光電変換素子）、３は撮像して得られたアナログ画像信号をデジタル信号に変換するＡ／Ｄ変換回路、４はガンマ補正等の公知の画像処理を行うプロセス回路、５は画像データの圧縮・伸長を行い、外部メモリからの信号の授受を行うメモリ制御部（記録再生部）、６は画像の展開やカメラの制御に使用するメモリ、７は画像を記録する外部メモリ、８は画像表示用のメモリ（バッファメモリ）、９は撮像画像を表示するモニタ表示部、１１はカメラ操作スイッチ、１２はＣＰＵ等からなるシステム制御回路、１３は露出や測距を行う撮像光学系の制御装置、１４はシャッター速度や絞り値等を表示する撮影情報表示部である。
【００１６】
次に、上記構成の電子カメラの動作について説明する。
【００１７】
始めに、撮影者によるカメラ操作スイッチ１１（カメラのメインＳＷ、レリーズＳＷ、操作ボタン等で構成）の状態変化をシステム制御回路１２が検出し、他の各回路ブロックへの電源供給を開始する。そして、一定間隔ごとに撮像光学系１とその制御装置１３によりシステム制御回路がシャッター速度や絞り値等を決定し、画像の撮影を行う条件を表示するための情報表示部１４に表示を行う。
【００１８】
また、撮影者がカメラ操作スイッチ１１の操作により撮影動作を行った場合には、全体制御回路１２からの制御信号によって、撮像光学系１が作動し、撮像素子２上に結像する。この撮像素子２からの電気信号は、各画素毎に順々にＡ／Ｄ変換回路３を通して所定のデジタル信号に変換された後、画像処理回路４へ入力される。この画像処理回路４では、撮像素子２の各画素データを基にＲＧＢの各色信号を生成する。次にこれら各画素データをメモリ６内に記憶し、続いてこのフレームメモリ６内のデータを、メモリ制御部５により所定の圧縮フォーマットに基づいてデータ圧縮し、その結果を外部メモリ７（通常フラッシュメモリ等の不揮発性メモリを使用）に記録する。
【００１９】
また、撮影者がカメラ操作スイッチ１１の操作により、撮影済みの画像データを表示する場合には、上記外部メモリ７に圧縮記憶されたデータをメモリ制御部５を通して通常の撮影画素毎のデータに伸長し、その結果を画像表示メモリ８へ転送することで、モニタ表示部９を通して行うことができる。
【００２０】
図３は、本実施例による電子カメラの画像表示装置と撮影情報表示装置の配置を示す背面図である。
【００２１】
３−１はカメラ本体である。画像の撮影を行う条件を表示するための装置、撮影情報表示装置３−２は、画像の表示を行う画像表示装置３−３の直上に配置する。撮影情報表示装置３−２の配置は、画像表示装置３−３の近傍、直下や横に配置してもよい。
【００２２】
３−４は撮影動作を始めるための操作スイッチであり、このスイッチの操作により、撮影条件を決定し、前期定期的な計算を開始する。
【００２３】
３−５は撮影条件を変更するための電子ダイアルである。
【００２４】
３−６は撮影済みの画像データを表示するための操作スイッチである。
【００２５】
図４は、システム制御回路が撮影情報表示装置と画像表示装置に表示する制御を説明するフローチャートである。
【００２６】
撮影情報表示装置への表示動作は、撮影者により撮影条件が変更された場合、およびカメラが測光中の場合、および画像表示装置に新たな画像が表示された場合に行われる。
【００２７】
画像表示装置への新たな画像を表示する動作は、撮影者により撮影済みの画像データの表示を操作部材により要求された場合に行われる。
【００２８】
まず、ステップ１で、カメラが測光中かどうかの判定を行う。カメラが測光中であれば、ステップ２において画像表示装置に画像表示中かどうかの判定を行う。画像表示中であれば、画像を消去し、画像表示を終了し、ステップ４へ進む。
【００２９】
ステップ２で画像表示中でなければ、ステップ４で撮像光学系より得られた情報に基き、撮影条件の演算を行う。次に、ステップ５で撮影情報表示装置へ演算結果の撮影条件を表示し、処理の先頭へ戻る。
【００３０】
ステップ１で測光中でなければ、ステップ６で画像表示を行うかどうかの判定を行う。画像表示を行わない場合は、処理の先頭へ戻る。
【００３１】
画像表示を行う場合は、ステップ７で画像表示装置へ画像を表示し、撮影情報表示装置を消去する。次にステップ８で、画像を撮影した際に記録された撮影条件（以下画像情報）を表示した画像から抽出する。次にステップ９で画像情報が画像に記録されていたかどうかの判定を行い、記録されていない場合は処理の先頭へ戻る。
【００３２】
画像情報が記録されていた場合、撮影情報表示装置へ画像情報を表示し、処理の先頭へ戻る。
【００３３】
（実施例２）
次に、本発明の第二の実施例について説明する。
【００３４】
図５は、本実施例による画像表示装置と撮影情報表示装置の表示状況を示した図である。
【００３５】
図４ステップ５により、表示動作を完了した場合は、画像表示装置１−１は消灯し、撮影情報表示装置１−２は撮影条件を表示している。また、撮影条件として撮影可能画像枚数１−３を表示している。
【００３６】
図４ステップ１０により、表示動作を完了した場合は、画像表示装置２−１は画像を表示し、撮影情報表示装置２−２は画像情報を表示している。また、撮影情報表示装置が画像情報を表示する状態にあることを示すため、２−３に撮影可能画像枚数ではありえない表示を行っている。本実施例は、文字“Ｐ”を表示したものである。
【００３７】
図４ステップ９により、画像情報を表示しなかった場合は、画像表示装置３−１は画像を表示し、撮影情報表示装置３−２は消去されたままである。
【図面の簡単な説明】
【００３８】
【図１】本発明が解決しようとする課題を示す図である。
【図２】本発明の実施例に係るカメラの回路構成を示すブロック図である。
【図３】図２のカメラの画像表示装置と撮影情報表示装置の配置を示す図である。
【図４】図２のカメラの各表示装置への表示制御を説明するフローチャートを示す図である。
【図５】図２のカメラの各表示装置への表示結果を示す図である。
【図１】
2007329740.tif 000003
【図２】
2007329740.tif 000004
【図３】
2007329740.tif 000005
【図４】
2007329740.tif 000006
【図５】
2007329740.tif 000007